(57)【要約】【課題】無線タグと無線通信する無線通信手段の数をより削減することができる画像形成装置、制御方法、及び制御プログラムを提供する。【解決手段】画像を形成する複合機１であって、トナーを格納した複数のカートリッジ１０２Ｙ、１０２Ｍ、１０２Ｃ、１０２Ｋそれぞれに備えられたＲＦＩＤタグ１１１、１１２、１１３、１１４と無線通信する通信部１２０と、複数のＲＦＩＤタグ１１１、１１２、１１３、１１４のいずれかと無線通信可能な位置に通信部１２０を移動させる駆動部１３０と、通信部１２０を介して、ＲＦＩＤタグに対してデータの読み出し又は書き込みを行う制御部１５０と、を備える。【選択図】図２
2010217597.tif 000002
【特許請求の範囲】
【請求項１】
画像を形成する画像形成装置であって、
トナーを格納した複数のカートリッジそれぞれに備えられた無線タグと無線通信する通信手段と、
複数の前記無線タグのいずれかと無線通信可能な位置に前記通信手段を移動させる駆動手段と、
移動された前記通信手段を介して、前記無線タグに対してデータの読み出し又は書き込みを行う制御手段と、を備えることを特徴とする画像形成装置。
【請求項２】
移動された前記通信手段の位置を検出する検出手段を更に備え、
前記制御手段は、前記検出手段の検出結果を用いて前記駆動手段の駆動を制御することで、前記通信手段の移動を制御することを特徴とする請求項１に記載の画像形成装置。
【請求項３】
前記制御手段は、前記通信手段を介して、少なくとも２以上の前記無線タグに同時にアクセス可能な場合には、アクセス可能な全ての前記無線タグに対して同時にデータの読み出し又は書き込みを行うことを回避するアンチコリジョン処理を行うことを特徴とする請求項１又は２に記載の画像形成装置。
【請求項４】
前記アンチコリジョン処理は、アクセス可能な全ての前記無線タグに対してデータの読み出し又は書き込みを行うまで、アクセス可能な全ての前記無線タグのうち１の前記無線タグ以外を一定時間応答させないスリープ処理を行って、１の前記無線タグに対してデータの読み出し又は書き込みを行うことを繰り返す処理であることを特徴とする請求項３に記載の画像形成装置。
【請求項５】
画像を形成する画像形成装置で実行される制御方法であって、
前記画像形成装置は、
トナーを格納した複数のカートリッジそれぞれに備えられた無線タグと無線通信する通信手段と、
前記通信手段を移動させる駆動手段と、を備え、
制御手段が、前記駆動手段の駆動を制御して、複数の前記無線タグのいずれかと無線通信可能な位置に前記通信手段を移動させる駆動制御ステップと、
制御手段が、移動された前記通信手段を介して、前記無線タグに対してデータの読み出し又は書き込みを行う通信ステップと、を含むことを特徴とする制御方法。
【請求項６】
請求項５に記載された制御方法をコンピュータに実行させるための制御プログラム。
【発明の詳細な説明】
【技術分野】
【０００１】
本発明は、画像形成装置、制御方法、及び制御プログラムに関する。
【背景技術】
【０００２】
従来から、複写機や複合機などの画像形成装置では、トナーを格納する複数のカートリッジそれぞれにＲＦＩＤ（Radio Frequency Identification）タグを搭載し、画像形成装置にＲＦＩＤタグ毎に備えられたリーダライタユニットを用いて、これらのカートリッジを管理する技術が知られている（例えば、特許文献１参照）。
【０００３】
また、例えば特許文献２には、トナーボトルの外周面にＲＦＩＤタグを設置し、トナーボトルの回転を利用することで、個々のリーダライタユニットが無線通信可能なＲＦＩＤタグの個数を増やし、リーダライタユニットの個数を削減する技術が開示されている。
【発明の概要】
【発明が解決しようとする課題】
【０００４】
しかしながら、特許文献２に開示された技術であっても、リーダライタユニットが無線通信可能な範囲は限られているため、削減可能なリーダライタユニットの数には限界がある。
【０００５】
本発明は、上記事情に鑑みてなされたものであり、無線タグと無線通信する無線通信手段の数をより削減することができる画像形成装置、制御方法、及び制御プログラムを提供することを目的とする。
【課題を解決するための手段】
【０００６】
上述した課題を解決し、目的を達成するために、本発明の一態様にかかる画像形成装置は、画像を形成する画像形成装置であって、トナーを格納した複数のカートリッジそれぞれに備えられた無線タグと無線通信する通信手段と、複数の前記無線タグのいずれかと無線通信可能な位置に前記通信手段を移動させる駆動手段と、移動された前記通信手段を介して、前記無線タグに対してデータの読み出し又は書き込みを行う制御手段と、を備えることを特徴とする。
【０００７】
また、本発明の別の態様にかかる制御方法は、画像を形成する画像形成装置で実行される制御方法であって、前記画像形成装置は、トナーを格納した複数のカートリッジそれぞれに備えられた無線タグと無線通信する通信手段と、前記通信手段を移動させる駆動手段と、を備え、制御手段が、前記駆動手段の駆動を制御して、複数の前記無線タグのいずれかと無線通信可能な位置に前記通信手段を移動させる駆動制御ステップと、制御手段が、移動された前記通信手段を介して、前記無線タグに対してデータの読み出し又は書き込みを行う通信ステップと、を含むことを特徴とする。
【０００８】
また、本発明の別の態様にかかる制御プログラムは、上記制御方法をコンピュータに実行させるためのものである。
【発明の効果】
【０００９】
本発明によれば、複数の無線タグのいずれかと無線通信可能な位置に通信手段を移動させることができるため、無線通信手段の数をより削減することができるという効果を奏する。
【図面の簡単な説明】
【００１０】
【図１】図１は、本実施形態の複合機の全体構成例を示すブロック図である。
【図２】図２は、本実施形態のリーダライタユニットの構成例を示すブロック図である。
【図３】図３は、本実施形態の制御部が実行するアンチコリジョン処理例を示すフローチャート図である。
【図４】図４は、本実施形態の複合機のハードウェア構成例を示すブロック図である。
【図５】図５は、変形例１のリーダライタユニットの構成例を示すブロック図である。
【図６】図６は、変形例２のリーダライタユニットの構成例を示すブロック図である。
【図７】図７は、変形例３のリーダライタユニットの構成例を示すブロック図である。
【発明を実施するための形態】
【００１１】
以下、添付図面を参照しながら、本発明にかかる画像形成装置、制御方法、及び制御プログラムの最良な実施の形態を詳細に説明する。
【００１２】
なお、本実施の形態では、本発明の画像形成装置を、コピー機能、プリンタ機能、スキャナ機能及びファクシミリ機能のうち少なくともコピー機能又はプリンタ機能を有する複合機に適用した場合を例にとり説明するが、本発明はこれに限定されるものではない。例えば、複写機やプリンタなどにも適用することができる。
【００１３】
図１は、本実施の形態の複合機１の全体構成の一例を示すブロック図である。
【００１４】
複合機１では、複合機本体１０の上方にカートリッジを収容するカートリッジ収容部１０１が位置し、複合機本体１０の下方に記録紙Ｐを給送する給紙部１２が位置し、カートリッジ収容部１０１と給紙部１２との間に記録紙Ｐに画像を形成する画像形成部７０が位置し、複合機本体１０の右上方に画像を記録紙Ｐに定着させる定着部２０が位置する。
【００１５】
カートリッジ収容部１０１には、イエロー、マゼンタ、シアン、ブラックのトナーをそれぞれ格納した４つのカートリッジ１０２Ｙ、１０２Ｍ、１０２Ｃ、１０２Ｋが着脱自在（交換自在）に設置されている。
【００１６】
画像形成部７０には、中間転写ベルト７８、１次転写バイアスローラ７９Ｙ、７９Ｍ、７９Ｃ、７９Ｋ、２次転写バックアップローラ８２、クリーニングバックアップローラ８３、テンションローラ８４、及び中間転写クリーニング部８０などで構成される中間転写ユニット８５が配設されている。そして、中間転写ユニット８５の中間転写ベルト７８に対向するように、イエロー、マゼンタ、シアン、ブラックの各色それぞれに対応した作像部４Ｙ、４Ｍ、４Ｃ、４Ｋが並設されている。
【００１７】
作像部４Ｙ、４Ｍ、４Ｃ、４Ｋには、それぞれ感光体ドラム５Ｙ、５Ｍ、５Ｃ、５Ｋが配設され、感光体ドラム５Ｙ、５Ｍ、５Ｃ、５Ｋの周囲には、それぞれ帯電部７５、現像部７６、クリーニング部７７、及び除電部（図示省略）などが配設されている。
【００１８】
そして、各感光体ドラム５Ｙ、５Ｍ、５Ｃ、５Ｋ上で、作像プロセス（帯電工程、露光工程、現像工程、転写工程、及びクリーニング工程）が行われることにより、感光体ドラム５Ｙ、５Ｍ、５Ｃ、５Ｋ上に各色の画像が形成される。
【００１９】
帯電工程では、感光体ドラム５Ｙ、５Ｍ、５Ｃ、５Ｋは、駆動モータ（図示省略）によりそれぞれ時計回りに回転駆動され、帯電部７５の位置で、感光体ドラム５Ｙ、５Ｍ、５Ｃ、５Ｋの表面が一様に帯電される。
【００２０】
続いて、露光工程では、感光体ドラム５Ｙ、５Ｍ、５Ｃ、５Ｋの表面は、露光部３から発せられたレーザ光の照射位置に達し、この位置での露光走査によって感光体ドラム５Ｙ、５Ｍ、５Ｃ、５Ｋ上に各色に対応した静電潜像が形成される。
【００２１】
続いて、現像工程では、感光体ドラム５Ｙ、５Ｍ、５Ｃ、５Ｋの表面は、現像部７６との対向位置に達し、この位置で静電潜像が現像され、感光体ドラム５Ｙ、５Ｍ、５Ｃ、５Ｋ上に各色のトナー像が形成される。
【００２２】
続いて、１次転写工程では、感光体ドラム５Ｙ、５Ｍ、５Ｃ、５Ｋの表面は、中間転写ベルト７８及び第１転写バイアスローラ７９Ｙ、７９Ｍ、７９Ｃ、７９Ｋとの対向位置に達し、この位置で感光体ドラム５Ｙ、５Ｍ、５Ｃ、５Ｋ上のトナー像が中間転写ベルト７８上に転写される。但し、トナー像の転写後においても、感光体ドラム５Ｙ、５Ｍ、５Ｃ、５Ｋ上には、僅かながら未転写トナーが残存する。
【００２３】
続いて、クリーニング工程では、感光体ドラム５Ｙ、５Ｍ、５Ｃ、５Ｋの表面は、クリーニング部７７との対向位置に達し、この位置で感光体ドラム５Ｙ、５Ｍ、５Ｃ、５Ｋ上に残存した未転写トナーがクリーニング部７７のクリーニングブレードによって機械的に回収される。
【００２４】
最後に、感光体ドラム５Ｙ、５Ｍ、５Ｃ、５Ｋの表面は、不図示の除電部との対向位置に達し、この位置で感光体ドラム５Ｙ、５Ｍ、５Ｃ、５Ｋ上の残留電位が除去される。
【００２５】
こうして、感光体ドラム５Ｙ、５Ｍ、５Ｃ、５Ｋ上で行われる一連の作像プロセスが終了する。
【００２６】
また、中間転写ベルト７８上で行われる転写プロセスにより、感光体ドラム５Ｙ、５Ｍ、５Ｃ、５Ｋ上に形成された各色のトナー像が中間転写ベルト７８上に重ねて転写され、中間転写ベルト７８上にカラー画像が形成される。
【００２７】
中間転写ベルト７８は、２次転写バックアップローラ８２、クリーニングバックアップローラ８３、及びテンションローラ８４によって張架・支持されている。
【００２８】
１次転写バイアスローラ７９Ｙ、７９Ｍ、７９Ｃ、７９Ｋは、それぞれ、感光体ドラム５Ｙ、５Ｍ、５Ｃ、５Ｋとの間に中間転写ベルト７８を挟み込むことにより、１次転写ニップを形成する。同様に、２次転写バックアップローラ８２は、２次転写ローラ８９との間に中間転写ベルト７８を挟み込むことにより、２次転写ニップを形成する。なお、１次転写バイアスローラ７９Ｙ、７９Ｍ、７９Ｃ、７９Ｋには、トナーの極性とは逆の転写バイアスが印加される。
【００２９】
そして、中間転写ベルト７８は、２次転写バックアップローラ８２の回転駆動によって矢印８７の方向に無端移動され、１次転写バイアスローラ７９Ｙ、７９Ｍ、７９Ｃ、７９Ｋの１次転写ニップを順次通過する。こうして、感光体ドラム５Ｙ、５Ｍ、５Ｃ、５Ｋ上の各色のトナー像が、中間転写ベルト７８上に重ねて１次転写される。
【００３０】
続いて、各色のトナー像が重ねて転写された中間転写ベルト７８は、２次転写ローラ８９との対向位置に達し、この位置で中間転写ベルト７８上に形成された４色のトナー像は、この２次転写ニップの位置に搬送された記録紙Ｐ上に転写される。但し、トナー像の転写後においても、中間転写ベルト７８には、記録紙Ｐに転写されなかった未転写トナーが残存する。
【００３１】
続いて、中間転写ベルト７８は、中間転写クリーニング部８０の位置に達し、この位置で中間転写ベルト７８上の未転写トナーが回収される。
【００３２】
こうして、中間転写ベルト７８上でおこなわれる、一連の転写プロセスが終了する。
【００３３】
なお、２次転写ニップの位置に搬送された記録紙Ｐは、給紙部１２から、給紙ローラ９７やレジストローラ対９８等を経由して搬送されるものである。
【００３４】
給紙部１２には、転写紙等の記録紙Ｐが複数枚重ねて収納されおり、給紙ローラ９７が反時計回りに回転駆動すると、最上部の記録紙Ｐがレジストローラ対９８のローラ間に向けて給送される。
【００３５】
レジストローラ対９８に搬送された記録紙Ｐは、回転駆動を停止したレジストローラ対９８のローラニップの位置で一旦停止する。そして、中間転写ベルト７８上のカラー画像にタイミングを合わせて、レジストローラ対９８が回転駆動され、記録紙Ｐが２次転写ニップに向けて搬送される。こうして、記録紙Ｐ上に、所望のカラー画像が転写される。
【００３６】
続いて、２次転写ニップの位置でカラー画像が転写された記録紙Ｐは、定着部２０の位置に搬送される。そして、この位置で、記録紙Ｐのカラー画像が転写（形成）された面を加熱部材２１で加熱するとともに、反対面を加圧部材３１で加圧することにより、カラー画像を記録紙Ｐ上に定着させる。
【００３７】
その後、記録紙Ｐは、排紙ローラ対９９のローラ間を経て、装置外へと排出される。排紙ローラ対９９によって装置外に排出された記録紙Ｐは、出力画像として、スタック部１５上に順次スタックされる。
【００３８】
こうして、複合機１における、一連の画像形成プロセスが完了する。
【００３９】
図２は、本実施の形態の複合機１に備えられているリーダライタユニット１００の構成の一例を示すブロック図である。図２に示すように、リーダライタユニット１００は、通信部１２０と、駆動部１３０と、移動経路１３５と、検出部１４１〜１４４と、制御部１５０とを備えており、カートリッジ１０２Ｙ、１０２Ｍ、１０２Ｃ、１０２Ｋにそれぞれ搭載されているＲＦＩＤタグ１１１、１１２、１１３、１１４との間でデータの読み出し又は書き込みを行う。
【００４０】
ＲＦＩＤタグ１１１〜１１４（無線タグの一例）は、それぞれカートリッジ１０２Ｙ、１０２Ｍ、１０２Ｃ、１０２Ｋに関するデータ（例えば、トナーの残量、又はカートリッジの識別情報など）を記憶する。そして、ＲＦＩＤタグ１１１〜１１４は、後述の通信部１２０から無線送信された電磁波を受信することによって、ロジック回路（図示省略）を起動し、通信部１２０との間でデータの送受信を行う。
【００４１】
通信部１２０は、ＲＦＩＤタグ１１１〜１１４との間で無線方式による通信を行うものであり、アンテナ１２２と変復調部１２４とを備える。
【００４２】
アンテナ１２２は、電磁波を発生させてＲＦＩＤタグ１１１〜１１４にデータを送信したり、ＲＦＩＤタグ１１１〜１１４からデータを受信する。
【００４３】
変復調部１２４は、送受信データの変復調を行うものであり、例えば、デジタル・アナログ変換器（Ａ／Ｄコンバータ）などにより実現できる。具体的には、変復調部１２４は、後述の制御部１５０から送信されるデジタル信号をアナログ信号に変換するとともに、アンテナ１２２が受信したアナログ信号をデジタル信号に変換する。
【００４４】
駆動部１３０は、ＲＦＩＤタグ１１１〜１１４のいずれかと無線通信可能な位置に通信部１２０を移動させるものであり、例えばモータなどにより実現できる。具体的には、駆動部１３０は、レールなどの移動経路１３５上で通信部１２０を移動させる。
【００４５】
検出部１４１〜１４４は、移動された通信部１２０の位置を検出するものであり、例えば、センサやエンコーダなどにより実現できる。
【００４６】
制御部１５０は、通信部１２０、駆動部１３０、検出部１４１〜１４４などの制御を行うものであり、例えば、ＲＦＩＤ制御基盤などのより実現できる。
【００４７】
具体的には、制御部１５０は、検出部１４１〜１４４の検出結果を用いて駆動部１３０の駆動を制御することで、通信部１２０の移動を制御する。そして、制御部１５０は、移動された通信部１２０を介して、ＲＦＩＤタグ１１１〜１１４に対してデータの読み出し又は書き込みなどを行う。
【００４８】
また、制御部１５０は、２以上のＲＦＩＤタグに対して同時にアクセス可能な場合には、アクセス可能な全てのＲＦＩＤタグに対して同時にデータの読み出し又は書き込みを行うことを回避するアンチコリジョン処理を行う。
【００４９】
図３は、本実施の形態の制御部１５０で実行されるアンチコリジョン処理の手順の流れの一例を示すフローチャート図である。
【００５０】
まず、制御部１５０は、ＲＦＩＤタグ１１１〜１１４それぞれが有する所定の情報（例えば、ＲＦＩＤタグ１１１〜１１４それぞれのＩＤの特定のビット情報など）を、当該情報の値に応じて応答タイミングを異ならせるタイムスロットデータに指定し、ＲＦＩＤタグ１１１〜１１４に送信する（ステップＳ１０１）。
【００５１】
続いて、制御部１５０は、ＲＦＩＤタグ１１１〜１１４のうち２以上のＲＦＩＤタグから同時に応答を受信し、衝突を検知した場合には（ステップＳ１０３でＹｅｓ）、他の情報（例えば、ＲＦＩＤタグ１１１〜１１４それぞれのＩＤの他のビット情報など）をタイムスロットデータに指定し、ＲＦＩＤタグ１１１〜１１４に送信する（ステップＳ１０５、ステップＳ１０３へ）。
【００５２】
一方、制御部１５０は、ＲＦＩＤタグ１１１〜１１４から応答タイミング毎に１つずつ応答を受信し、衝突を検知しなかった場合には（ステップＳ１０３でＮｏ）、ＲＦＩＤタグ１１１〜１１４のうちの１つ以外に対して一定期間応答を停止させるスリープ処理を行い、スリープ処理を行っていないＲＦＩＤタグに対して情報の読み出し又は書き込みを行う（ステップＳ１０７）。
【００５３】
続いて、制御部１５０は、情報の読み出し又は書き込みを行ったＲＦＩＤタグに対してスリープ処理を行うとともに、スリープ状態のＲＦＩＤタグのうち情報の読み出し又は書き込みが行われていない１つのＲＦＩＤタグをスリープ状態から復帰させるウェイク処理を行い、ウェイク処理を行ったＲＦＩＤタグに対して情報の読み出し又は書き込みを行う（ステップＳ１０９）。
【００５４】
続いて、制御部１５０は、ＲＦＩＤタグ１１１〜１１４の全てに対して情報の読み出し又は書き込みが行われるまでステップＳ１０９の処理を繰り返し（ステップＳ１１１でＮｏ）、ＲＦＩＤタグ１１１〜１１４の全てに対して情報の読み出し又は書き込みが行われた場合には（ステップＳ１１１でＹｅｓ）、スリープ状態の全てのＲＦＩＤタグに対してウェイク処理を行い（ステップＳ１１３）、処理を終了する。
【００５５】
このように本実施の形態では、ＲＦＩＤタグ１１１〜１１４のいずれかと無線通信可能な位置に通信部１２０を移動させることができるため、通信部１２０の数をより削減することができる。
【００５６】
また本実施の形態では、通信対象のＲＦＩＤタグに近接する位置に通信部１２０を移動させて無線通信を行わせることで、無線通信距離を短くすることができるので、電磁波の出力を抑えることができ、電磁放射ノイズを低減させることができる。
【００５７】
また本実施の形態では、２以上のＲＦＩＤタグに対して同時にアクセス可能な場合には、アンチコリジョン処理を行うため、２以上のＲＦＩＤタグに対して同時にアクセスすることがなく、読み取り又は書き込みエラーや誤動作などの発生を防止することができる。
【００５８】
図４は、本実施の形態にかかる複合機１のハードウェア構成の一例を示すブロック図である。図４に示すように、複合機１は、コントローラ３１０とエンジン部（Engine）３６０とをＰＣＩ（Peripheral Component Interconnect）バスで接続した構成となる。コントローラ３１０は、複合機１全体の制御と描画、通信、図示しない操作部からの入力を制御するコントローラである。エンジン部３６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部３６０には、プロッタなどのいわゆるエンジン部分に加えて、誤差拡散やガンマ変換などの画像処理部分が含まれる。
【００５９】
コントローラ３１０は、ＣＰＵ３１１と、ノースブリッジ（ＮＢ）３１３と、システムメモリ（ＭＥＭ−Ｐ）３１２と、サウスブリッジ（ＳＢ）３１４と、ローカルメモリ（ＭＥＭ−Ｃ）３１７と、ＡＳＩＣ（Application Specific Integrated Circuit）３１６と、ハードディスクドライブ（ＨＤＤ）３１８とを有し、ノースブリッジ（ＮＢ）３１３とＡＳＩＣ３１６との間をＡＧＰ（Accelerated Graphics Port）バス３１５で接続した構成となる。また、ＭＥＭ−Ｐ３１２は、ＲＯＭ（Read Only Memory）３１２ａと、ＲＡＭ(Random Access Memory)３１２ｂとをさらに有する。
【００６０】
ＣＰＵ３１１は、複合機１の全体制御をおこなうものであり、ＮＢ３１３、ＭＥＭ−Ｐ３１２およびＳＢ３１４からなるチップセットを有し、このチップセットを介して他の機器と接続される。
【００６１】
ＮＢ３１３は、ＣＰＵ３１１とＭＥＭ−Ｐ３１２、ＳＢ３１４、ＡＧＰ３１５とを接続するためのブリッジであり、ＭＥＭ−Ｐ３１２に対する読み書きなどを制御するメモリコントローラと、ＰＣＩマスタおよびＡＧＰターゲットとを有する。
【００６２】
ＭＥＭ−Ｐ３１２は、プログラムやデータの格納用メモリ、プログラムやデータの展開用メモリ、プリンタの描画用メモリなどとして用いるシステムメモリであり、ＲＯＭ３１２ａとＲＡＭ３１２ｂとからなる。ＲＯＭ３１２ａは、プログラムやデータの格納用メモリとして用いる読み出し専用のメモリであり、ＲＡＭ３１２ｂは、プログラムやデータの展開用メモリ、プリンタの描画用メモリなどとして用いる書き込みおよび読み出し可能なメモリである。
【００６３】
ＳＢ３１４は、ＮＢ３１３とＰＣＩデバイス、周辺デバイスとを接続するためのブリッジである。このＳＢ３１４は、ＰＣＩバスを介してＮＢ３１３と接続されており、このＰＣＩバスには、ネットワークインターフェース（Ｉ／Ｆ）部なども接続される。
【００６４】
ＡＳＩＣ３１６は、画像処理用のハードウェア要素を有する画像処理用途向けのＩＣ（Integrated Circuit）であり、ＡＧＰ３１５、ＰＣＩバス、ＨＤＤ３１８およびＭＥＭ−Ｃ３１７をそれぞれ接続するブリッジの役割を有する。このＡＳＩＣ３１６は、ＰＣＩターゲットおよびＡＧＰマスタと、ＡＳＩＣ３１６の中核をなすアービタ（ＡＲＢ）と、ＭＥＭ−Ｃ３１７を制御するメモリコントローラと、ハードウェアロジックなどにより画像データの回転などをおこなう複数のＤＭＡＣ（Direct Memory Access Controller）と、エンジン部３６０との間でＰＣＩバスを介したデータ転送をおこなうＰＣＩユニットとからなる。このＡＳＩＣ３１６には、ＰＣＩバスを介してＦＣＵ（Fax Control Unit）３３０、ＵＳＢ（Universal Serial Bus）３４０、ＩＥＥＥ１３９４（the Institute of Electrical and Electronics Engineers 1394）インターフェース３５０が接続される。操作表示部３２０はＡＳＩＣ３１６に直接接続されている。
【００６５】
ＭＥＭ−Ｃ３１７は、コピー用画像バッファ、符号バッファとして用いるローカルメモリであり、ＨＤＤ（Hard Disk Drive）３１８は、画像データの蓄積、プログラム（例えば、インストール済みファームウェア）の蓄積、フォントデータの蓄積、フォームの蓄積を行うためのストレージである。
【００６６】
ＡＧＰ３１５は、グラフィック処理を高速化するために提案されたグラフィックスアクセラレーターカード用のバスインターフェースであり、ＭＥＭ−Ｐ３１２に高スループットで直接アクセスすることにより、グラフィックスアクセラレーターカードを高速にするものである。
【００６７】
なお、本実施の形態の複合機１で実行されるプログラムは、ＲＯＭ等に予め組み込まれて提供される。また本実施の形態の複合機１で実行されるプログラムを、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００６８】
また、本実施の形態の複合機１で実行されるプログラムを、インターネット等のネットワークに接続されたコンピュータ上に格納し、ネットワーク経由でダウンロードさせることにより提供するように構成してもよい。また、本実施形態の複合機１で実行されるプログラムをインターネット等のネットワーク経由で提供または配布するように構成してもよい。
【００６９】
また、本実施の形態の複合機１で実行されるプログラムは、上述した各部（制御部等）を含むモジュール構成となっており、実際のハードウェアとしてはＣＰＵ（プロセッサ）が上記ＲＯＭからプログラムを読み出して実行することにより上記各部が主記憶装置上にロードされ、制御部等が主記憶装置上に生成されるようになっている。
【００７０】
（変形例）
なお、本発明は上述した実施の形態に限定されるものではなく、以下に例示するような種々の変形が可能である。
【００７１】
（変形例１）
図５は、変形例１のリーダライタユニット５００の構成の一例を示すブロック図である。上記実施の形態では、通信部１２０が変復調部１２４を備える例について説明したが、図５に示すように、通信部５２０ではなく、制御部５５０が変復調部５５２を備えるようにしてもよい。つまり、駆動部１３０がアンテナ１２２のみを移動させるようにしてもよい。
【００７２】
（変形例２）
図６は、変形例２のリーダライタユニット６００の構成の一例を示すブロック図である。図６に示すように、リーダライタユニット６００専用の制御を行うＲＦＩＤ制御部６５０と、画像形成装置のエンジンを制御するエンジン制御部６６０とを備えるようにしてもよい。なお、ＲＦＩＤ制御部６５０は、例えばＲＦＩＤ制御基盤などにより実現でき、エンジン制御部６６０は、例えばエンジン制御基盤などにより実現できるが、ＲＦＩＤ制御部６５０及びエンジン制御部６６０を同一基盤上で実現してもよい。
【００７３】
（変形例３）
図７は、変形例３のリーダライタユニット７００の構成の一例を示すブロック図である。図７に示すように、画像形成装置のエンジンを制御するエンジン制御部７６０が、リーダライタユニット７００の制御も行うようにしてもよい。
【符号の説明】
【００７４】
１  複合機
３  露光部
４Ｙ、４Ｍ、４Ｃ、４Ｋ  作像部
５Ｙ、５Ｍ、５Ｃ、５Ｋ  感光体ドラム
１０  複合機本体
１２  給紙部
１５  スタック部
２０  定着部
２１  加熱部材
３１  加圧部材
７０  画像形成部
７５  帯電部
７６  現像部
７７  クリーニング部
７８  中間転写ベルト
７９Ｙ、７９Ｍ、７９Ｃ、７９Ｋ  １次転写バイアスローラ
８０  中間転写クリーニング部
８２  ２次転写バックアップローラ
８３  クリーニングバックアップローラ
８４  テンションローラ
８５  中間転写ユニット
８７  矢印
９７  給紙ローラ
９８  レジストローラ対
９９  排紙ローラ対
１００、５００、６００、７００  リーダライタユニット
１０１  カートリッジ収容部
１０２Ｙ、１０２Ｍ、１０２Ｃ、１０２Ｋ  カートリッジ
１１１、１１２、１１３、１１４  ＲＦＩＤタグ
１２０、５２０  通信部
１２２  アンテナ
１２４、５５２  変復調部
１３０  駆動部
１３５  移動経路
１４１〜１４４  検出部
１５０、５５０  制御部
３１０  コントローラ
３１１  ＣＰＵ
３１２  システムメモリ
３１２ａ  ＲＯＭ
３１２ｂ  ＲＡＭ
３１３  ノースブリッジ
３１４  サウスブリッジ
３１５  ＡＧＰバス
３１６  ＡＳＩＣ
３１７  ローカルメモリ
３１８  ハードディスクドライブ
３２０  操作表示部
３３０  ＦＣＵ
３４０  ＵＳＢ
３５０  ＩＥＥＥ１３９４インターフェース
３６０  エンジン部
６５０  ＲＦＩＤ制御部
６６０、７６０  エンジン制御部
Ｐ  記録紙
【先行技術文献】
【特許文献】
【００７５】
【特許文献１】特開２００６−３１０６２号公報
【特許文献２】特開２００８−７７０５８号公報
【図１】
2010217597.tif 000003
【図２】
2010217597.tif 000004
【図３】
2010217597.tif 000005
【図４】
2010217597.tif 000006
【図５】
2010217597.tif 000007
【図６】
2010217597.tif 000008
【図７】
2010217597.tif 000009